(57)【要約】【課題】銀行取引等において、ホストコンピュータの負担を低減して通帳にユーザが任意に選択したコメント情報を記帳することができるようにする。【解決手段】ユーザの口座を管理するホストコンピュータ１４には通信回線網１３を介して、金銭に係る取引を行うための自動取引装置１１が接続されている。カードには、取引をユーザが種別するための複数のコメント情報が予め登録されるとともに、取引に係る取引データが記帳される。さらに、カードには取引が行われた際、コメント情報の一覧を自動取引装置に与えるＣＰＵが備えられており、このＣＰＵは、自動取引装置の画面上に表示されたコメント情報の一覧からコメント情報が選択コメント情報として選択されると、取引に係る取引データに選択コメント情報データを付加してカードに格納する。【選択図】  図１
2004310586.tif 000002
【特許請求の範囲】
【請求項１】
ユーザの口座を管理するホストコンピュータと通信回線を介して接続されて、金銭に係る取引を行うための自動取引装置であって、前記取引をユーザが種別するための複数のコメント情報が予め登録されたカードが挿入されて前記取引が行われると、前記コメント情報の一覧を画面上に表示する表示手段と、前記画面上に表示されたコメント情報の一覧から選択されたコメント情報を、前記取引に係る取引データに付加して前記カードに格納する取引データ記帳手段とを有することを特徴とする自動取引装置。
【請求項２】
前記カードには、前記コメント情報が登録されるデータエレメントエリアと、前記取引に係る取引データが前記コメント情報とともに記帳される電子通帳エリアとが規定されていることを特徴とする請求項１に記載の自動取引装置。
【請求項３】
前記取引データ記帳手段は、冊子式通帳に前記取引データ及び前記コメント情報を記帳するようにしたことを特徴とする請求項１又は２に記載の自動取引装置。
【請求項４】
前記カードには、前記コメント情報毎に前記取引に係る金額の累積金額を格納する累積値格納エリアが備えられ、前記データエレメントエリアには、前記コメント情報毎に予めユーザが設定した基準日が格納されており、前記取引の都度該取引に係るコメント情報に対応する前記累積金額を、前記累積格納エリアから読み出して前記累積金額を更新する累積金額更新手段を備え、前記累積金額更新手段は、前記基準日を基準として次の基準日まで前記コメント情報に関する取引がある都度その金額を順次累積して更新するようにしたことを特徴とする請求項２に記載の自動取引装置。
【請求項５】
さらに、前記データエレメントエリアには、前記コメント情報毎に前記コメント情報に関する取引に係る累積金額の上限金額を示す規定値が格納されており、前記累積値が前記規定値以上となると、その画面上に警報を表示する警報表示手段を有することを特徴とする請求項４に記載の自動取引装置。
【請求項６】
前記コメント情報、前記基準日、及び前記規定値を前記カードに登録するための登録手段を有することを特徴とする請求項１〜５のいずれかに記載の自動取引装置。
【請求項７】
ユーザの口座を管理するホストコンピュータと通信回線を介して接続されて、金銭に係る取引を行うための自動取引装置とともに用いられるカードであって、前記取引をユーザが種別するための複数のコメント情報が予め登録されたデータエレメントエリアと、前記取引に係る取引データが記帳される電子通帳エリアと、前記取引が行われた際、前記コメント情報の一覧を前記自動取引装置に与える制御手段とを有し、前記制御手段は、前記自動取引装置の画面上に表示されたコメント情報の一覧からコメント情報が選択コメント情報として選択されると、前記取引に係る取引データに前記選択コメント情報データを付加して前記電子通帳エリアに格納するようにしたことを特徴とするカード。
【請求項８】
前記データエレメントエリアには、前記コメント情報毎に予めユーザが設定した基準日が設定されており、前記制御手段は前記基準日を基準として次の基準日まで前記コメント情報に関する取引がある都度、その金額を順次累積して累積金額とするようにしたことを特徴とする請求項７に記載のカード。
【請求項９】
さらに、前記コメント情報毎に前記累積金額を格納する累積値格納エリアが備えられていることを特徴とする請求項８に記載のカード。
【請求項１０】
前記データエレメントエリアには、前記コメント情報毎に、前記コメント情報に関する取引に係る累積金額の上限金額を示す規定値が格納されており、前記制御手段は前記累積値が前記規定値以上となると、前記自動取引装置の画面上に警報を表示するようにしたことを特徴とする請求項８又は９に記載のカード。
【発明の詳細な説明】
【０００１】
【発明の属する技術分野】
本発明は、ＡＴＭ（Ａｕｔｏｍａｔｉｃ  Ｔｅｌｌｅｒ’ｓ  Ｍａｃｈｉｎｅ：現金自動預金・支払機）等の自動取引装置及びこの自動取引装置とともに用いられるカード（例えば、ＩＣカード）に関し、特に、通帳への各種コメント情報の記帳制御に関するものである。
【０００２】
【従来の技術】
一般に、ＡＴＭ等の自動取引装置を用いて、利用者（ユーザ）が各種取引（振込み、入金、現金引き出し等）を行った際には、自動取引装置と通信回線で接続されたホストコンピュータで取引に係る処理を行った後、例えば、通帳等へ取引の内容に係る記帳処理が行われることになる。
【０００３】
また、自動引き落としの際においても、後日自動取引装置で通帳に記帳を行えば、自動引き落としに係る取引内容が通帳に記帳されることになる。
【０００４】
記帳処理に当たっては、取引内容に関する各種コメント情報が通帳に記入されることになる。例えば、通帳には、コメント情報して、”振込み”、”入金”、”出金”の種別ばかりでなく、具体的な取引内容（例えば、ガス、電気、水道、電話料等）が記載されることになる。
【０００５】
このようなコメント情報は、予めホストコンピュータに登録されて、各種取引の内容に応じて、ホストコンピュータ側で登録されたコメント情報を検索して、適当なコメント情報を選択する。そして、ホストコンピュータでは、選択したコメント情報を自動取引装置に転送して、自動取引装置において当該コメント情報を通帳に記帳することになる。
【０００６】
一方、通帳へ未記帳データを記帳する際には、必ずホストコンピュータとオンラインで結ばれたオンライン状態で、記帳処理を行う必要があり、オンラインが断たれた休日等における記帳処理を行うため、例えば、通帳への未記帳取引情報を記憶された記帳カード及びその記帳カードに対応した通帳が挿入されると、記帳カードに記憶された未記帳取引情報に基づいて、当該通帳に対して未記帳取引情報の印字を行い、さらに、繰り越し通帳に対する未記帳取引情報が記憶された記帳カード及び繰り越し通帳の発行を受ける旧通帳が挿入されると、記帳カードに記憶された繰り越し通帳に対する未記帳取引情報に基づいて、繰り越しの通帳を発行して、当該繰り越し通帳に未記帳取引情報の印字を行うようにしたものがある（特許文献１（段落［０００９］〜段落［００１５］、第２図〜第３図）参照）。
【０００７】
【特許文献１】
特開平１１−３４５１号公報
【０００８】
【発明が解決しようとする課題】
ところで、通帳に記帳を行う際には、前述のように、予めホストコンピュータに登録されたコメント情報が取引内容に応じて記帳されることになるが、ユーザにおいては、自分自身にとって分かりやすいコメント情報が通帳に記帳された方が、後日の確認に際においても便利である。
【０００９】
例えば、現状においては、キャッシュカードを用いて現金を引き出した際には、コメント情報して、単に”カード”として通帳に記帳されるのみであり、後日、ユーザは当該出金に係る現金の用途を確認することが難しい（家計簿等の帳簿に記帳しておけば、後日確認するこができるが、このようなことは極めて面倒である）。
【００１０】
また、自動引き落としの際には、キャッシュカードを用いた取引に比べて、その取引内容が多少具体的に記帳されるものの、自動取引引き落としの際においても、予めホストコンピュータに登録されたコメント情報が記帳されるだけであって、ユーザが任意に記帳すべきコメント情報を選択することはできない。
【００１１】
一方、ユーザが所望のコメント情報を全てサポートして、任意に選択したコメント情報が通帳に記帳できるようにしようとすると、ホストコンピュータ側では全てのユーザに係る多量のコメント情報を蓄積しておく必要があり、しかもオンラインで自動取引装置と通信を行って、ユーザ毎にコメント情報を選択するとなると、ホストコンピュータ側の負担が増大してしまい、処理に耐えられなくなってしまうこともある。
【００１２】
本発明の目的は、ホストコンピュータの負担を低減して通帳にユーザが任意に選択したコメント情報を記帳することのできる自動取引装置及びこれとともに用いられるカードを提供することにある。
【００１３】
【課題を解決するための手段】
本発明によれば、ユーザの口座を管理するホストコンピュータと通信回線を介して接続されて、金銭に係る取引を行うための自動取引装置であって、前記取引をユーザが種別するための複数のコメント情報が予め登録されたカードが挿入されて前記取引が行われると、前記コメント情報の一覧を画面上に表示する表示手段と、前記画面上に表示されたコメント情報の一覧から選択されたコメント情報を前記取引に係る取引データに付加して前記カードに格納する取引データ記帳手段とを有することを特徴とする自動取引装置が得られる。
【００１４】
例えば、前記カードには、前記コメント情報が登録されるデータエレメントエリアと、前記取引に係る取引データが前記コメント情報とともに記帳される電子通帳エリアとが規定されている。
【００１５】
また、前記取引データ記帳手段は冊子式通帳に前記取引データ及び前記コメント情報を記帳するようにしてもよい。
【００１６】
そして、前記カードには、前記コメント情報毎に前記取引に係る金額の累積金額を格納する累積値格納エリアが備えられ、前記データエレメントエリアには、前記コメント情報毎に予めユーザが設定した基準日が格納されており、前記自動取引装置は前記取引の都度該取引に係るコメント情報に対応する前記累積金額を前記累積格納エリアから読み出して前記累積金額を更新する累積金額更新手段を備えて、前記累積金額更新手段は前記基準日を基準として次の基準日まで前記コメント情報に関する取引がある都度その金額を順次累積して更新する。
【００１７】
さらに、前記データエレメントエリアには、前記コメント情報毎に前記コメント情報に関する取引に係る累積金額の上限金額を示す規定値が格納されており、前記自動取引装置には、前記累積値が前記規定値以上となるとその画面上に警報を表示する警報表示手段が備えられている。
【００１８】
なお、例えば、前記自動取引装置には、前記コメント情報、前記基準日、及び前記規定値を前記カードに登録するための登録手段を備えるようにしてもよい。
【００１９】
さらに、本発明によれば、ユーザの口座を管理するホストコンピュータと通信回線を介して接続されて、金銭に係る取引を行うための自動取引装置とともに用いられるカードであって、前記取引をユーザが種別するための複数のコメント情報が予め登録されたデータエレメントエリアと、前記取引に係る取引データが記帳される電子通帳エリアと、前記取引が行われた際、前記コメント情報の一覧を前記自動取引装置に与える制御手段とを有し、前記制御手段は、前記自動取引装置の画面上に表示されたコメント情報の一覧からコメント情報が選択コメント情報として選択されると前記取引に係る取引データに前記選択コメント情報データを付加して前記電子通帳エリアに格納するようにしたことを特徴とするカードが得られる。
【００２０】
そして、前記データエレメントエリアには、前記コメント情報毎に予めユーザが設定した基準日が設定されており、前記制御手段は前記基準日を基準として次の基準日まで前記コメント情報に関する取引がある都度その金額を順次累積して累積金額とする。
【００２１】
また、前記コメント情報毎に前記累積金額を格納する累積値格納エリアが備えられており、前記データエレメントエリアには、前記コメント情報毎に、前記コメント情報に関する取引に係る累積金額の上限金額を示す規定値が格納されて、前記制御手段は前記累積値が前記規定値以上となると前記自動取引装置の画面上に警報を表示する。
【００２２】
【発明の実施の形態】
以下本発明による自動取引システムについて図面を参照して説明する。なお、ここでは、通帳とは、例えば、ＩＣカード内に設定された通帳（電子通帳）を示すが、後述するように、既存の冊子式の通帳でもよい。また、自動取引装置とは、ＡＴＭに限らず、例えば、各ユーザが備えるパーソナルコンピュータでもよい。
【００２３】
図１を参照して、図示の自動取引システムは、複数のＡＴＭ１１、複数の端末装置（例えば、パーソナルコンピュータ（ＰＣ））１２を備えており、これらＡＴＭ１１及びＰＣ１２は通信回線網１３を介してホストコンピュータ１４に接続されている。さらに、銀行の店舗等には、登録専用端末装置１５が配置されている。
【００２４】
ホストコンピュータ１４を管理・運用する事業者（例えば、銀行）では、各ユーザに対して、取引カード（例えば、ＩＣカード）を発行する。このＩＣカードは、図２に示すように、マイクロプロセッサ（以下単にＣＰＵと呼ぶ）２１、メモリ２２、及びインターフェース部２３を有しており、メモリ２２には電子通帳エリア２２ａが規定されるとともに、後述するデータエレメントエリア２２ｂが規定されている。さらに、メモリ２２には、後述する累積値格納エリア２２ｃが規定されている。
【００２５】
ユーザはＩＣカードの発行を受ける際、後述するようにして、所望のコメント情報をＩＣカードに登録するとともに、後述する当該コメント情報に係る基準日及び規定額（支払規定額：規定値）を設定する。なお、基準日及び規定値はユーザの選択によって設定される（以下の説明においては、コメント情報、基準日、及び規定値をコメントデータと総称することにする）。
【００２６】
さらに、このようなコメントデータは、ＡＴＭ１１からも登録することができる。例えば、ユーザが既にＩＣカードの交付を受けている際において、コメントデータをＩＣカードに登録しようとする際には、まず、ＡＴＭ１１において、その表示画面からコメントデータ登録を選択した後、ＩＣカードをＡＴＭ１１のカード挿入口に登録する。
【００２７】
これによって、ＩＣカード内のＣＰＵ２１がインターフェース部２３を介してＡＴＭ１１に接続され、ＣＰＵ２１では、ＡＴＭ１１の表示画面にコメントデータ登録画面を表示する。ユーザはこのコメントデータ登録画面に従ってコメントデータを、表示画面を操作して入力する。ＣＰＵ２１は入力されたコメントデータをインターフェース部２３を介して受け、登録コメントデータとしてデータエレメントエリア２２ｂに記録する。
【００２８】
登録コメントデータを削除する際には、前述のコメントデータ登録画面においてコメントデータ削除を選択すると、ＣＰＵ２１では、登録されたコメントデータ一覧をＡＴＭ１１の表示画面に表示する。
【００２９】
そして、ユーザはＡＴＭ１１に表示されたコメントデータ一覧から削除したいコメントデータを選択して、ＡＴＭ１１の表示画面上の削除ボタンをタッチすると、ＣＰＵ２１に削除指令が与えられ、ＣＰＵ２１は当該選択されたコメントデータをデータエレメントエリア２２ｂから削除する。
【００３０】
なお、コメントデータの登録、変更、又は削除に当たっては、ユーザに予め付与されたＩＤ番号又はユーザ側で設定した暗証番号等を利用して行う。具体的には、入力されたＩＤ番号又は暗証番号はインターフェース部２３を介してＣＰＵ２１に与えられ、ＣＰＵ２１では、予めカード内に記録されたＩＤ番号又は暗証番号と照合して、一致を確認すると、コメントデータの登録、変更、又は削除を許可することになる。コメントデータの登録、変更、又は削除に用いるＩＤ番号又は暗証番号は、ホストコンピュータに登録して、ホストコンピュータで判断処理を行うようにしてもよい。
【００３１】
加えて、専用登録端末装置１５又はＰＣ１２を用いて、コメントデータの登録、変更、又は削除を行うことができる。専用登録端末装置１５でコメントデータの登録、変更、又は削除を行う際の動作は、前述のＡＴＭ１１によるコメントデータの登録、変更、又は削除と同様である。
【００３２】
また、ＰＣ１２を用いてコメントデータの登録、変更、又は削除を行う際においても、ＰＣ１２のカードスロット等にＩＣカードを挿入すると、ＣＰＵ２１ではＰＣ１２のモニター上にコメントデータ登録画面を表示する。そして、ＡＴＭ１１による登録と同様にして、ユーザはコメントデータを登録することになる。また、コメントデータを変更又は削除する際においても、ＡＴＭ１１による削除又は変更と同様にして削除を行うことになる。
【００３３】
ここで、図３も参照すると、前述のようにして、ＩＣカードにコメントデータを登録して（ステップＳ１）、ユーザは各種取引を行うことになる。ＩＣカードのデータエレメントエリア２２ｂには、例えば、図４に示すコメントデータ一覧が登録されることになる。
【００３４】
図示の例では、コメントデータ一覧には、番号（Ｎｏ．：例えば入力順）、エレメント（コメント情報）欄、基準日欄、及び規定値欄があり、エレメント欄には、ユーザが所望するコメント情報（例えば、給与、賞与、小遣い、食費、光熱費、レジャー費、生命保険、損害保険、住宅ローン、車、雑費、及び通信費）が登録される。
【００３５】
出金又は自動引き落としに係るコメント情報に対しては、前述のように、ユーザが基準日及び規定値を登録することができ、基準日とは、ＣＰＵ２１がカウントを開始する日付であり、ＣＰＵ２１では基準日から次の基準日まで各コメント情報に対応する出金（又は自動引き落とし）の累積額をカウントすることになる。
【００３６】
規定値とは基準日から次の基準日までの累積額に対する閾値であり、後述するように、各コメント情報に対応する累積額が規定値を超えると、ＣＰＵ２１は警報を発することになる。なお、基準値及び規定値が設定されていないコメント情報については、当該欄に未設定が記録されることになる。
【００３７】
ＡＴＭ１１を用いて取引を行う際には、ＩＣカードをＡＴＭ１１に挿入して、暗証番号（又はＩＤ番号）を入力する。これによって、ホストコンピュータ１４に暗証番号及びＩＣカードに登録された口座番号等が送られて、照合が行われる。
【００３８】
照合の結果、正規のＩＣカードであると認定されると（つまり、暗証番号及び口座番号等がホストに登録された暗証番号及び口座番号と一致すると）、ホストコンピュータ１４では、取引を許可する。そして、ユーザは、例えば、振込み又は出金を行うことになる（ステップＳ２：取引）。
【００３９】
なお、入金を行う際には、暗証番号を入力する必要はなく、ＡＴＭ１１の表示画面上において、例えば、入金ボタンをタッチした後、ＩＣカードをＡＴＭ１１に挿入すれば、ホストコンピュータ１４は入金処理を実行することになる。
【００４０】
このようにして、取引を行うと、ＡＴＭ１１では、ＩＣカードをアクセスして、コメントデータ読み出し指示をＣＰＵ２１に与える。これによって、ＣＰＵ２１ではデータエレメントエリア２２ｂに登録されたコメントデータ一覧（図４参照）に記録されたエレメント（コメント情報）をエレメント一覧としてＡＴＭ１１の表示画面上に表示する（ステップＳ３：エレメント一覧表示）。
【００４１】
そして、ユーザは、振込み、出金（自動引き落としを含む）、又は入金に係る取引について、エレメント一覧から所望のエレメント（コメント情報）を選択する（ステップＳ４：コメント情報選択）。ユーザがコメント情報を選択すると、ＡＴＭ１１では、ＩＣカードのインターフェース部２３を介してＣＰＵ２１に取引データを送るとともに上述の選択コメント情報を送る。
【００４２】
ＣＰＵ２１では、取引データ及び選択コメント情報を受けると、当該取引データ及び選択コメント情報を電子通帳エリア２２ａに記帳する（ステップＳ５：記帳）。
【００４３】
また、未記帳の取引（例えば、自動引き落とし）が存在する際においても、ホストコンピュータ１４では、当該未記帳の取引データをＡＴＭ１１に与える。ＡＴＭ１１では未記帳取引データを表示画面上に表示するとともに、前述のようにして、エレメント一覧を表示する。
【００４４】
ユーザが未記帳取引データについてエレメント（コメント情報）を付したければ、エレメント一覧から所望のコメント情報を選択することになる。そして、前述したように、ＡＴＭ１１から、この未記帳取引データ及び選択コメント情報がＩＣカードに与えられて、ＣＰＵ２１によって電子通帳エリア２２ａに記帳される。
【００４５】
図５は電子通帳エリア２２ａに対する記帳を示す図であり、図示のように、電子通帳エリア２２ａには日付欄、払い出し金額欄、預かり金額欄、適用欄、差引残高欄、及び備考欄があり、備考欄に前述のコメント情報が記帳されることになる。
【００４６】
上述のようにして、電子通帳エリア２２ａに記帳を行った後、ＣＰＵ２１では、コメント情報毎（例えば、食費、小遣い、レジャー費等）にその取引金額を、前回までの取引金額累積値に加算して（カウントして）、累積値格納エリア２２ｃにコメント情報毎にその累積値を格納する（ステップＳ６：累積値更新）。
【００４７】
このように、ＣＰＵ２１では、取引が行われる都度、コメント情報毎にその取引金額を加算して累積値を求めて、累積値格納エリア２２ｃに格納することになり、この加算（累積）は、データエレメントエリア２２ｂに登録された基準日から次の基準日までの期間行われることになる。つまり、ＣＰＵ２１では、基準日となると一旦各コメント情報に対応する累積値をリセット（クリア）して、再度累積を次の基準日まで実行することになる。
【００４８】
上述のようにして、ユーザはＩＣカードを用いて取引を行うことになるが、ユーザがＡＴＭ１１にＩＣカードを挿入して、取引を行おうとした際、累積値が規定値を以上のコメント情報が存在すると（ステップＳ７：規定値超過）、ＣＰＵ２１では、当該コメント情報に係る取引が規定値を以上である旨の警報をＡＴＭ１１の表示画面上に表示して、ユーザに注意を促すことになる（ステップＳ８：警報表示）。
【００４９】
上述の例では、ＩＣカード内に設定された電子通帳エリア２２ａに記帳を行う例について説明したが、通常の冊子式の通帳にコメント情報を含めた取引データを記帳するようにしてもよい。この際には、ＩＣカードとともに冊子式通帳がＡＴＭ１１に挿入されて、取引データ及び選択コメント情報が、前述のようにして冊子式通帳に記帳されることになる。
【００５０】
さらに、上述の例では、ＡＴＭ１１を用いて取引を行う例について説明したが、ＰＣ１２を用いて取引を行うことができる際には、ＰＣ１２が前述のＡＴＭ１１の代わりに用いられることになる。
【００５１】
上述の例では、ＩＣカードを用いて、ＣＰＵ２１が上述したように各種制御を行う場合について説明したが、ＩＣカード以外のカード、つまり、ＣＰＵを具備しないメモリ２２のみを備えて、自動取引装置が、ＣＰＵ２１が行った各種制御を行うようにしてもよい。この場合には、自動取引装置には、画面上に表示されたコメント情報の一覧から選択されたコメント情報を取引に係る取引データに付加してカードに格納する取引データ記帳部が備えられることになる。
【００５２】
さらに、自動取引装置は、取引の都度当該取引に係るコメント情報に対応する累積金額を累積格納エリアから読み出して累積金額を更新する累積金額更新部を有することになる。そして、この累積金額更新部が基準日を基準として次の基準日までコメント情報に関する取引がある都度その金額を順次累積して更新する。
【００５３】
また、自動取引装置は、累積値が規定値以上となるとその画面上に警報を表示する警報表示部を有することになる。
【００５４】
【発明の効果】
以上説明したように、本発明では、取引をユーザが種別するための複数のコメント情報が予め登録されたカードが挿入されて取引が行われると、コメント情報の一覧を画面上に表示して、画面上に表示されたコメント情報の一覧から選択されたコメント情報を取引に係る取引データに付加してカードに格納するようにしたから、ホストコンピュータの負担を低減して通帳にユーザが任意に選択したコメント情報を記帳することができるという効果がある。
【００５５】
本発明では、カードに、コメント情報毎に取引に係る金額の累積金額を格納する累積値格納エリアを備えて、取引の都度当該取引に係るコメント情報に対応する累積金額を累積格納エリアから読み出して累積金額を更新し、予めカードに登録された基準日を基準として次の基準日までコメント情報に関する取引がある都度その金額を順次累積して更新したから、基準日から次の基準日までの累積金額がコメント情報毎に容易に把握できるという効果がある。
【００５６】
本発明では、カードに、コメント情報毎にコメント情報に関する取引に係る累積金額の上限金額を示す規定値を予め登録して、自動取引装置は累積値が規定値以上となるとその画面上に警報を表示するようにしたから、ユーザはコメント情報毎に設定した規定値を超えて金銭を消費したか否かを容易に確認することができるという効果がある。
【００５７】
本発明では、自動取引装置を用いてコメント情報、基準日、及び規定値をカードに登録するようにしたから、ユーザ自身に適合したコメント情報等を任意にしかも容易に登録することができるという効果がある。
【００５８】
さらに、本発明では、カードに、取引をユーザが種別するための複数のコメント情報が予め登録されたデータエレメントエリアと、取引に係る取引データが記帳される電子通帳エリアと、取引が行われた際、コメント情報の一覧を前記自動取引装置に与える制御部（ＣＰＵ）とを備えて、制御部が自動取引装置の画面上に表示されたコメント情報の一覧からコメント情報が選択コメント情報として選択されると、取引に係る取引データに選択コメント情報データを付加して電子通帳エリアに格納するようにしたから、自動取引装置の機能に関わらず、コメントデータを取引データに付加して格納することができるという効果がある。
【００５９】
また、本発明では、コメント情報毎に累積金額を格納して、制御部では、累積値が規定値以上となると自動取引装置の画面上に警報を表示するようにしたから、カード自体に金銭消費に係るセキュリティー機能を持たせることができるという効果がある。
【図面の簡単な説明】
【図１】本発明による自動取引システムの一例を示すブロック図である。
【図２】図１に示す自動取引システムで用いられるＩＣカードの構成を示すブロック図である。
【図３】図１に示す自動取引システムにおける処理動作を説明するためのフローチャートである。
【図４】図２に示すＩＣカードに登録されるコメントデータ一覧の一例を示す図である。
【図５】図２に示すＩＣカード中の電子通帳に記帳される取引のフォーマットの一例を示す図である
【符号の説明】
１１  ＡＴＭ
１２  端末装置
１３  通信回線網
１４  ホストコンピュータ
１５  登録専用端末装置
２１  マイクロプロセッサ（ＣＰＵ）
２２  メモリ
２３  インターフェース部
【図１】
2004310586.tif 000003
【図２】
2004310586.tif 000004
【図３】
2004310586.tif 000005
【図４】
2004310586.tif 000006
【図５】
2004310586.tif 000007